(57)【要約】簡単な構成でありながら完成させることが複雑となり、かつ完成に至る難易度を選択することが可能なパズルブロック組立体を提供する。パズルブロック組立体１０は、分離独立した８個の同一寸法の立方体からなるブロック１〜８を積み重ねて得られる大立方体にて形成される。組立体１０の各６面には、当該面を構成する各ブロック１〜８の表面に現れる部分によって同一の図柄が表示される。統一したイメージには、同一色、同一文字、同一模様、同一図形、これらの組合せが含まれる。各ブロック１〜８の６面の内、組立体１０の表面に現れる相互に隣接する３面を除く他の３面には任意の図柄を表示することができ、当該他の３面の任意の図柄を利用することで、組立体１０を完成させるための難易度を変化させることができる。
2009041250.tif 000002
【特許請求の範囲】
【請求項１】
相互に分離独立した同一寸法の８個または２７個の立方体ブロックからなるパズルブロック組立体において、各ブロックの６つの面には相互に異なる図柄がそれぞれ表示されており、当該８個または２７個のブロックを積み重ねてより大きな大立方体を形成した際、当該大立方体の外表面となる６つの面上にそれぞれ同一の前記図柄が表れ、かつ１つの面に現れる当該同一の図柄が他の面に現れる同一の図柄とは異なったものとなるよう、前記８個または２７個の個々のブロックの各面に前記図柄が配置され、少なくとも１個のブロックの各面間における図柄の配置パターンが、残りのブロックの各面間における図柄の配置パターンと異なっていることを特徴とするパズルブロック組立体。
【請求項２】
相互に分離独立した同一寸法の８個の立方体ブロックからなり、積み重ねてより大きな大立方体を形成するパズルブロック組立体において、
第１のブロックの相互に隣接する３面の内の１面がＡの図柄を有し、当該Ａの図柄の面を正面に見た状態で残りの２面の内の時計回りの最初の面がＢの図柄を、次の面がＣの図柄をそれぞれ有し、
第２のブロックの相互に隣接する３面の内の１面がＡの図柄を有し、当該Ａの図柄の面を正面に見た状態で残りの２面の内の時計回りの最初の面がＣの図柄を、次の面がＤの図柄をそれぞれ有し、
第３のブロックの相互に隣接する３面の内の１面がＡの図柄を有し、当該Ａの図柄の面を正面に見た状態で残りの２面の内の時計回りの最初の面がＤの図柄を、次の面がＥの図柄をそれぞれ有し、
第４のブロックの相互に隣接する３面の内の１面がＡの図柄を有し、当該Ａの図柄の面を正面に見た状態で残りの２面の内の時計回りの最初の面がＥの図柄を、次の面がＢの図柄をそれぞれ有し、
第５のブロックの相互に隣接する３面の内の１面がＦの図柄を有し、当該Ｆの図柄の面を正面に見た状態で残りの２面の内の反時計回りの最初の面がＢの図柄を、次の面がＣの図柄をそれぞれ有し、
第６のブロックの相互に隣接する３面の内の１面がＦの図柄を有し、当該Ｆの図柄の面を正面に見た状態で残りの２面の内の反時計回りの最初の面がＣの図柄を、次の面がＤの図柄をそれぞれ有し、
第７のブロックの相互に隣接する３面の内の１面がＦの図柄を有し、当該Ｆの図柄の面を正面に見た状態で残りの２面の内の反時計回りの最初の面がＤの図柄を、次の面がＥの図柄をそれぞれ有し、
第８のブロックの相互に隣接する３面の内の１面がＦの図柄を有し、当該Ｆの図柄の面を正面に見た状態で残りの２面の内の反時計回りの最初の面がＥの図柄を、次の面がＢの図柄をそれぞれ有し、
前記第１から第８のブロックの内、少なくとも１個のブロックの各面間における図柄の配置パターンが、残りのブロックの各面間における図柄の配置パターンと異なっていることを特徴とするパズルブロック組立体。
【請求項３】
前記Ａ〜Ｆの図柄が、それぞれ相互に異なる色、文字、絵、模様、図形又はこれらの組み合わせのいずれかであることを特徴とする、請求項２に記載のパズルブロック組立体。
【請求項４】
前記各ブロックが、前記Ａ〜Ｆのいずれかの図柄を有すると特定された３面を除く残りの相互に隣接する３面に、Ａ〜Ｆの図柄の内の前記特定された３面に表された図柄を除く残りの３つの図柄が各個に配置されていることを特徴とする、請求項２に記載のパズルブロック組立体。
【請求項５】
前記各ブロックが、前記Ａ〜Ｆのいずれかの図柄を有すると特定された３面を除く残り
の相互に隣接する３面に、Ａ〜Ｆの図柄とは異なる一の図柄が３面ともに表されていること、又はＡ〜Ｆの図柄とは異なる図柄を少なくとも１つ加えた図柄の中から選択された３種類の図柄が各個に配置されていること、あるいは何らの図柄も表されていないことを特徴とする、請求項２に記載のパズルブロック組立体。
【請求項６】
前記第１〜第８のブロックの前記Ａ〜Ｆのいずれかの図柄を有すると特定された３面を除く各８個のブロックの残りの面に対し、
（イ）前記第１、第２、第３、第４のブロックの前記Ａの図柄を有する面の反対側の面にそれぞれＧの図柄が表され、かつ前記第５、第６、第７、第８のブロックの前記Ｆの図柄を有する面の反対側の面にそれぞれＨの図柄が表されていること、
（ロ）前記第１、第４、第５、第８のブロックの前記Ｂの図柄を有する面の反対側の面にそれぞれＩの図柄が表され、かつ前記第２、第３、第６、第７のブロックの前記Ｄの図柄を有する面の反対側の面にそれぞれＪの図柄が表されていること、
（ハ）前記第１、第２、第５、第６のブロックの前記Ｃの図柄を有する面の反対側の面にそれぞれＫの図柄が表され、かつ前記第３、第４、第７、第８のブロックの前記Ｅの図柄を有する面の反対側の面にそれぞれＬの図柄が表されていること、
のいずれか一、またはこれらの任意の組み合わせが選択され、
前記Ａ〜Ｌの図柄が、それぞれ相互に異なる色、文字、絵、模様、図形又はこれらの組み合わせのいずれかであることを特徴とする、請求項２に記載のパズルブロック組立体。
【請求項７】
前記パズルブロック組立体が、前記ブロックと同一寸法の相互に分離独立した第９〜第２７の１９個の立方体ブロックをさらに含み、
第９のブロックの隣接する２面がそれぞれＡ、Ｂの図柄を有し、
第１０のブロックの隣接する２面がそれぞれＡ、Ｃの図柄を有し、
第１１のブロックの隣接する２面がそれぞれＡ、Ｄの図柄を有し、
第１２のブロックの隣接する２面がそれぞれＡ、Ｅの図柄を有し、
第１３のブロックの隣接する２面がそれぞれＦ、Ｂの図柄を有し、
第１４のブロックの隣接する２面がそれぞれＦ、Ｃの図柄を有し、
第１５のブロックの隣接する２面がそれぞれＦ、Ｄの図柄を有し、
第１６のブロックの隣接する２面がそれぞれＦ、Ｅの図柄を有し、
第１７のブロックの隣接する２面がそれぞれＢ、Ｃの図柄を有し、
第１８のブロックの隣接する２面がそれぞれＣ、Ｄの図柄を有し、
第１９のブロックの隣接する２面がそれぞれＤ、Ｅの図柄を有し、
第２０のブロックの隣接する２面がそれぞれＥ、Ｂの図柄を有し、
第２１、２２、２３、２４、２５、２６のブロックの各１面がそれぞれＡ、Ｂ、Ｃ、Ｄ、Ｅ、Ｆの図柄を有し、
第２７のブロックの６面が任意の図柄を有していることを特徴とする、請求項２または請求項３に記載のパズルブロック組立体。
【請求項８】
前記各ブロックが、内部に球形磁石、磁性粒子、磁性流体のいずれかを含んでいることを特徴とする、請求項１から請求項７のいずれか一に記載のパズルブロック組立体。
【請求項９】
立方体を構成する各面に図柄を有するブロックの展開図を複数印刷したシートであって、当該複数の展開図を切り取って組立てることにより、請求項１から請求項８のいずれか一に記載のパズルブロック組立体を完成することができるシート。
【発明の詳細な説明】
【技術分野】
【０００１】
本発明は、頭脳パズルとして利用可能な、所定数量の立方体ブロックを所定の位置に積み重ねることによって、各外面に同一の図柄を複数表したより大きな大立方体を完成させるパズルブロック組立体に関する。
【背景技術】
【０００２】
図柄が描かれたブロック材を積み重ねて所定形状に完成させるブロック組立体としてよく知られたものに、幼児を対象とした積み木がある。大人を対象とした頭を使ってブロックを積み重ねて完成させるパズルも各種知られており、例えば図柄が施された複数の立体ブロックを磁性を利用して組み立てるブロックの組み合わせが従来技術に開示されている（例えば、特許文献１参照。）。【０００３】
また、独立分離したブロックの組み合わせとはいえないが、一定の制約のなかで図柄を組み合わせるパズルとしてルービックキューブ（登録商標）が著名である。ルービックキューブでは、図柄の完成のために行、列ごとの面の集合体を回転移動させるため、内部には回転保持機構が仕組まれている（例えば、特許文献２参照。）。ルービックキューブの変形として、正多面体を回転接続手段を利用して回転可能とし、回転動作によって図柄を合わせるパズルも開示されている（例えば、特許文献３参照。）。独立した８個の立方体ブロックを組み合わせる形式のブロック組立体としては、組立て後の大立方体の各面で一つの図絵を完成させるものが開示されている（例えば、特許文献４参照。）。
【特許文献１】特開平２００３−７１１４９号公報
【特許文献２】実用新案登録第３０１９２７３号
【特許文献３】特開平５−１５６６４号公報
【特許文献４】特開２０００−６１１３１号公報
【発明の開示】
【発明が解決しようとする課題】
【０００４】
しかしながら、上述したこれまで知られたブロック式のパズルは、それなりの興味を呼ぶものではあっても未だ改善の余地があった。幼児用の積み木は使用目的が限定されているため除外するとして、ルービックキューブの例で言えば、立方体の各６面が９個の分割面から構成され、これらの分割面は上述した内部の回転保持機構に制約されるためにその移動は行、列ごとでしか行うことができない。しかもその移動は、立方体の複数の面（４つの面）において連動した動きとならざるを得ない。このため、回転に伴って一定の法則が成り立ち易く、一旦遊技者がこの法則を覚えてしまうと、どのような状態からゲームを始めても、完成させること（すなわち、各面の図柄を同一のものに揃えること。以下、同。）は比較的容易となる。早い者は僅か数分で完成させることができるようになり、競技大会などを別とすれば、個人的にはそれ以上の挑戦意欲を湧かせることができなくなる。【０００５】
上記特許文献３に開示されたものも、回転手段、接続手段をそれぞれ設けていることからほぼ同様の制約があり、一定の法則が導き出され易い。特許文献１に開示されたものでは、磁性を利用して組み立てることから、ルービックキューブなどに比べて組み合わせの自由度は高まるが、図柄を組み立てることに関しては各立体ブロックの組み合わせのみであって、いわばジグソーパズルを単に立体版にしたようなものに過ぎない。【０００６】
上記特許文献４に開示されたものでは、大立方体を組立てた際に各面で描かれる図絵の一部が各ブロックの面に描かれているため、各ブロックの配置されるべき位置、向きが組立てられる前から容易に判断されることになり、難易度が低いものになってしまうという
問題があった。【０００７】
また、幼児用の積み木を除き、上述したいずれのパズルにおいても、立体を形成するのに回転保持機構、磁性体などが必要とされており、このために構造を複雑としていた。加えて、このような機構があることに起因して立体ブロック同士の動きにも制約を受けるものとなっていた。【０００８】
本願発明は、これら従来技術にある問題を解消し、より簡単な構造でありながらより複雑な思考を必要とし、しかも構成に変化を与えることによって完成に至る難易度を任意に選択することができるなど、老若男女を対象としたこれまでに見られなかった新しい形式のパズルブロック組立体を提供するものである。
【課題を解決するための手段】
【０００９】
本発明は、同一寸法の立方体ブロック８個、又は２７個から構成され、これらのブロックを積み上げてより大きな大立方体を形成したときに、その大立方体の各６面に同一の図柄が表れるようなパズルブロック組立体を提供するもので、具体的には以下の内容を含む。【００１０】
すなわち、本発明に係る１つの態様は、相互に分離独立した同一寸法の８個または２７個の立方体ブロックからなるパズルブロック組立体であって、各ブロックの６つの面には相互に異なる図柄がそれぞれ表示されており、当該８個または２７個のブロックを積み重ねてより大きな大立方体を形成した際、当該大立方体の外表面となる６つの面上にそれぞれ同一の前記図柄が表れ、かつ１つの面に現れる当該同一の図柄が他の面に現れる同一の図柄とは異なったものとなるよう、前記８個または２７個の個々のブロックの各面に前記図柄が配置され、少なくとも１個のブロックの各面間における図柄の配置パターンが、残りのブロックの各面間における図柄の配置パターンと異なっていることを特徴とするパズルブロック組立体に関する。【００１１】
より具体的に、８個のブロックとした場合には以下のように構成される。
相互に隣接する３面の内の１面がＡの図柄を有し、当該Ａの図柄の面を正面に見て残りの２面の内の時計回りの最初の面にＢの図柄、次の面にＣの図柄を有する１のブロック、
相互に隣接する３面の内の１面がＡの図柄を有し、当該Ａの図柄の面を正面に見て残りの２面の内の時計回りの最初の面にＣの図柄、次の面にＤの図柄を有する１のブロック、
相互に隣接する３面の内の１面がＡの図柄を有し、当該Ａの図柄の面を正面に見て残りの２面の内の時計回りの最初の面にＤの図柄、次の面にＥの図柄を有する１のブロック、
相互に隣接する３面の内の１面がＡの図柄を有し、当該Ａの図柄の面を正面に見て残りの２面の内の時計回りの最初の面にＥの図柄、次の面にＢの図柄を有する１のブロック、
相互に隣接する３面の内の１面がＦの図柄を有し、当該Ｆの図柄の面を正面に見て残りの２面の内の反時計回りの最初の面にＢの図柄、次の面にＣの図柄を有する１のブロック、
相互に隣接する３面の内の１面がＦの図柄を有し、当該Ｆの図柄の面を正面に見て残りの２面の内の反時計回りの最初の面にＣの図柄、次の面にＤの図柄を有する１のブロック、
相互に隣接する３面の内の１面がＦの図柄を有し、当該Ｆの図柄の面を正面に見て残りの２面の内の反時計回りの最初の面にＤの図柄、次の面にＥの図柄を有する１のブロック、
相互に隣接する３面の内の１面がＦの図柄を有し、当該Ｆの図柄の面を正面に見て残りの２面の内の反時計回りの最初の面にＥの図柄、次の面にＢの図柄を有する１のブロック。【００１２】
２７個のブロックとした場合には、上記のブロックに対してさらに以下の１９個のブロックが追加される。
隣接する２面にＡとＢの図柄を有する１のブロック、
隣接する２面にＡとＣの図柄を有する１のブロック、
隣接する２面にＡとＤの図柄を有する１のブロック、
隣接する２面にＡとＥの図柄を有する１のブロック、
隣接する２面にＦとＢの図柄を有する１のブロック、
隣接する２面にＦとＣの図柄を有する１のブロック、
隣接する２面にＦとＤの図柄を有する１のブロック、
隣接する２面にＦとＥの図柄を有する１のブロック、
隣接する２面にＢとＣの図柄を有する１のブロック、
隣接する２面にＣとＤの図柄を有する１のブロック、
隣接する２面にＤとＥの図柄を有する１のブロック、
隣接する２面にＥとＢの図柄を有する１のブロック、
１面にそれぞれＡ、Ｂ、Ｃ、Ｄ、Ｅ、Ｆの図柄を有する計６のブロック、
６面に任意の図柄を有する１のブロック。【００１３】
前記Ａ〜Ｆの図柄は、それぞれ相互に異なる色、文字、絵、模様、図形、又はこれらの組み合わせのいずれかとすることができる。【００１４】
前記各ブロックは、前記Ａ〜Ｆのいずれかの図柄を有すると特定された面を除く残りの面に、Ａ〜Ｆの図柄の内の前記特定された面に表された図柄を除く残りの３つの図柄を各個に表すことができる。この際、Ａ〜Ｆの図柄とは異なる一の図柄を残りのすべての面に表すこと、Ａ〜Ｆの図柄とは異なる少なくとも１つの図柄を加えたものから選択された３種類の図柄を表すこと、あるいは何らの図柄も表示しないことも可能である。【００１５】
前記各ブロックには、Ｎ極、Ｓ極を微細に分布させた球形磁石、磁性粒子、磁性流体などの磁石を内蔵させ、これによって相互に吸引力を作用させることができる。
【発明の効果】
【００１６】
本発明の実施により、老若男女を問わず幅広いジャンルの人々が興味を抱き、楽しむことができる、これまでにないパズルブロック組立体を提供することができる。
【発明を実施するための最良の形態】
【００１７】
本発明にかかる第１の実施の形態のパズルブロック組立体について、図面を参照して説明する。図１は、本実施の形態にかかるパズルブロック組立体１０（以下、単に「組立体」と言う。）の完成した状態を示している。図示のように、組立体１０は、ブロック１〜８（ブロック７は図面の背後に隠れている）の８個の同一寸法の立方体ブロックで構成されている。各ブロック１〜８の６面には、それぞれ図柄Ａ、Ｂ、Ｃ、Ｄ、Ｅ、Ｆ（図面ではＤ、Ｅ、Ｆが背後に隠れている）が描かれている。図１に示す組立体１０の完成した状態で、それぞれのブロックの各面には、矢印Ａから見た正面には図柄Ａ、矢印Ｂから見た正面には図柄Ｂ、矢印Ｃから見た正面には図柄Ｃが集まるよう構成されている。図面の背後に隠れている矢印Ｄ〜Ｆに対向する面においても同様である。【００１８】
ここで「図柄」Ａ〜Ｆは、単純な例では「色」とすることができ、組立体１０の６面が相互に異なる色面となるよう構成することができる。あるいは図示のようなＡ〜Ｆなどの文字であっても、模様であっても、図形であっても、あるいは幼児用、小児用などでは異なる動物の図柄などが描かれていてもよい。【００１９】
個別のブロック１〜８も６面を有しており、この６つの各面には各種の図柄を表すことができる。しかしながら、これらを積み上げて完成したときには、図１に示すような組立体１０の各面にはそれぞれ同一の図柄が表れねばならない。図２は、図１のブロック１〜８を分離した状態で示している。この内の右上方に位置するブロック２を例にとれば、図柄Ａ、Ｃ、Ｄ（図柄Ｄは図面の背後に隠れている）が表示された相互に隣接する３つの面が組立体１０の表面に表れている。これに対し、手前側に見える「×」印を示した面は、組み立て後には隣接するブロック１と重なって見えなくなる。このため、図１に示すように組立体１０を完成させるには、「×」印の面には極端にはどのような図柄で表示されていてもよいものとなる。図面では背後及び下側となるが、ブロック２の矢印Ｅから見た面、矢印Ｆから見た面も同様に他のブロック３、６と重なって見えなくなるため、任意の図柄でよいものとなる。すなわち、ブロック２の６面の内、組み立てられた後の組立体１０の表面に現れる相互に隣接する３面を除いて、他のブロックと重なることになる残りの相互に隣接する３面には、図柄Ａ、Ｃ、Ｄを除いた残りの図柄Ｂ、Ｅ、Ｆを任意の面に配置して表示することができる。同様なことは全てのブロック１〜８について言える。【００２０】
１つのブロックのみで見た場合、６面における６種類の図柄の組み合わせは３０通りある。この内のどの面が組立体１０の表面に現れるかは、各ブロックが分離した状態では不明である。そして８個のブロック１〜８が組立体１０のどの位置に来るかは５，０４０通りの組み合わせがある。これにより、自由な組み合わせによれば、８個のブロック１〜８の位置及び向きの合計の組み合わせは１５１、２００通り（３０×５，０４０）となる。しかしながら、この自由な組み合わせの全てが、図１に示す各面に同一の図柄を有する組立体１０となるとは限らない。【００２１】
具体的には、図１に示す組立体１０の完成を可能にするには、各ブロック１〜８が以下の条件を満たしていなければならない。すなわち、
ブロック１は、６面の内の相互に隣接する３面の内の１つに図柄Ａが表されており、当該図柄Ａを矢印Ａに対向させた状態で他の２面が時計回りに図柄Ｂ、Ｃの順に表されていること、
ブロック２は、同様に相互に隣接する３面の内の１つに図柄Ａが表されており、当該図柄Ａを矢印Ａに対向させた状態で他の２面が時計回りに図柄Ｃ、Ｄの順に表されていること、
同様にブロック３、４は、相互に隣接する３面の内の図柄Ａが表された面を矢印Ａに対向させた状態で他の２面が時計回りにそれぞれ図柄Ｄ、Ｅ（ブロック３）、及び図柄Ｅ、Ｂ（ブロック４）の順に表されている必要がある。【００２２】
図１の背後に位置する４個のブロック５〜８に於いては、矢印Ｆに対向する面に図柄Ｆが表され、当該面と相互に隣接する他の２面が、今度は反時計回りに、順に図柄Ｂ、Ｃ（ブロック５）、図柄Ｃ、Ｄ（ブロック６）、図柄Ｄ、Ｅ（ブロック７）、図柄Ｅ、Ｂ（ブロック８）が表されていなければならない。ブロック１〜８において、以上の図柄の条件が成立している限り、ブロック同士が重なって隠れる他の面（図２の×印のある面）の図柄はどのように表示されていてもよい。組立体１０の６面上に、それぞれ同一の図柄を現すことができる上述したブロック１〜８の各相互に隣接する３面の図柄の配置条件を、本明細書では「完成条件」と呼ぶものとする。【００２３】
製造時において、上述した「完成条件」を満たすブロック組立体を製造する最も簡単な方法は、８個のブロックを無地のままで図１のように大立方体に積み上げ、各６面がそれぞれ統一したイメージとなるよう図柄を表せばよい。その後ブロックをバラバラに分離し、図柄の描かれていない残りの面（図２の「×」印がある面）に任意の図柄を描けば、完成条件を満たす各ブロック１〜８を準備することができる。【００２４】
他の完成条件を満たすブロックの製造方法として、図３に示す展開図を利用することができる。図３（ａ）は、図１に示すブロック１を展開した状態、同じく図３（ｂ）はブロック５を展開した状態を示している。図３（ａ）のブロック１では、図１の矢印Ａの方向から見て正面となる位置の面１ａに図柄Ａが表わされ、それと隣接する面の内、時計回りに最初の面となる面１ｂに図柄Ｂが、次の面１ｃに図柄Ｃが表わされる。その他の面１ｄ、１ｅ、１ｆは残りの図柄Ｄ、Ｅ、Ｆを任意に配分すればよい。図３（ｂ）のブロック５では、図１の矢印Ｆの方向から見て正面となる位置の面５ａに図柄Ｆが表わされ、それと隣接する面の内、反時計回りに最初の面となる面５ｂに図柄Ｂが、次の面５ｃに図柄Ｃが表わされる。その他の面５ｄ、５ｅ、５ｆは残りの図柄Ａ、Ｄ、Ｅを任意に配分すればよい。図３では、ブロック１、５のみを例示しているが、他のブロック２〜４、６〜８も同様に図柄を配置すること（これを、「図柄の配置パターン」と呼ぶものとする。）で全体として「完成条件」を満たすブロック１〜８を準備することができる。ただし、図３の展開図と図柄の配置は分り易い一例を示したものに過ぎず、立方体を形成する展開図は他にも各種考えられ、完成条件を満たす図柄の配置もその展開図に応じて変わり得る。同一の展開図であっても完成条件を満たすための図柄の配置は各種存在し得る。【００２５】
次に、このようにして完成されたバラのプロック８個を図１に示すように完成させることは、一般的に言えばなかなか容易ではない。組み立てる位置、個々の面の向きの組み合わせは上述のように１５万通り以上にもなるからである。しかしながら、この完成を容易にする方法はあり得る。端的な例は、図１に示す組立体１０を構成するブロック１〜８を、全て同一の図柄配置とすることである。すなわち、同一のブロック（例えば、ブロック１）を８個揃えて組立体１０を構築すれば、全てを同一の向きに合わせることによって図１に示すような組立体１０を極めて容易に完成させることができる。このような組立ブロックの組み合わせは小児用として利用可能であり、あるいは高齢者用の老化防止に最適な遊技具ともなり得る。しかしながら、成人向けのパズルとしては簡単すぎて成り立たない。【００２６】
これに対し、上記の例において８個のブロックの内の１個のみを他とは異なる図柄配置とすれば、様子は大分異なってくる。この図柄配置の異なる「特異ブロック」を、その異なった配置の図柄が他のブロックに重なって隠れるような組立体１０の位置に積み重ねなければならない。しかも、どの１つが他とは異なっているかは直ぐには判別できないため、それなりの試行錯誤が必要となる。それでも、他とは異なる「特異」ブロック」が１つの場合であれば、まだ比較的容易に組立体１０を完成させることができるであろう。しかし、この「特異ブロック」の数を２つ、３つと増して行けば、その数の増加に応じて組立体１０を完成させることは順次難しくなり、そして最も完成が難しいのは、８個のブロック全てが相互に異なる「特異ブロック」ばかりの組合せとなった場合である。【００２７】
このように、本願発明にかかるパズルブロック組立体１０の特徴としては、これまで見られた他のパズルとは異なり、図柄の配置パターンを変えることによって、完成に至る難易度を変化させた幾種類かの組立体を提供できることにある。遊技者は、まず難易度の低い「初級用」から取り組み、腕が上達するにつれて「中級用」、「上級用」へと進むことができる。同じ級位であっても、いかに早く完成させるかとの挑戦意欲を与えることができる。ルービックキューブのような「規則性」も見つけ難く、一度覚えれば誰にでも直ぐできるパズルとはならない。【００２８】
本願発明者らが行った限られた範囲内での実験によれば、人によってバラツキはあるが、「特異ブロック」を半分の４個とした「中級用」では完成させるまでの時間が３０分〜１時間ほど、全てを「特異ブロック」とした「上級用」では同じく１〜３時間、あるいはそれ以上の時間を要している。慣れることにより、時間短縮は可能であろう。【００２９】
逆に小児用あるいは幼児用として、あるいは高齢者用として、完成をより一層容易とし
た組立体を提供することも可能である。その一例は、図２に示す各ブロック１〜８の面の内、Ａ〜Ｆの図柄が表された面を除いて、その他の３面（図中に「×」印が付された面）を無地のままとするか、あるいは黒色などで塗りつぶすことである。これにより、これら無地などの面は相互のブロックが重なり合う面であることをはっきり明示したものとなり、幼児にでも完成させることができるものとなる。表される図柄も、動物の絵などにすれば、一般に知られた積み木よりも完成時の満足感を与えられることから幼児の興味を引くものとなろう。【００３０】
以上をまとめると、本実施の形態にかかる組立体は、ルービックキューブほか従来のこの種のパズルに比較して、以下のような顕著な特徴を有する。
１．立方体のブロック８個からなる極めてシンプルな構成に拘わらず、複雑な組み合わせが可能であり、より早く完成させようとする遊技者の挑戦意欲を喚起させることができる。
２．個々の構成品であるブロック１個１個が、個別自由に旋回（水平面に対する）・回転（垂直面に対する）、移動が可能であり、自由度が高まる。
３．難度レベルを幾段階にも設定可能であり、遊技者は自らのスキルに応じた難度レベルの組立体の選択が可能である。
４．組立体の完成後、ゲームを再開するための「初期化」が極めて容易である（ルービックキューブでは駒を崩すための「戻し」が必要となるが、本発明にかかる組立体では単にブロックをバラバラにすればよい。）
５．比較的安価に供給できる。【００３１】
次に、本発明にかかる第２の実施の形態のパズルブロック組立体について説明する。先の実施の形態では、ブロック１〜８の各面に異なる６つの図柄（例えば６色）を配置するものとしているが、この図柄の種類を増やすことによって組立体により一層の変化をもたらすことができる。本実施の形態は、図２に示す「×印」の付された各面を利用して図柄の種類を先の６種類よりも多くし、同じ８個のブロックを使いながら好ましくは２つ以上の異なった組立体を完成できるよう構成したパズルブロック組立体を提供する。【００３２】
例えば図２において、前側の矢印Ａに対向するブロック１〜４の図柄Ａを有する面の反対側の各面（矢印Ｆに対向する側の面）に図柄Ａ〜Ｆとは異なる図柄Ｇを表し、一方、後側で矢印Ｆに対向するブロック５〜８の図柄Ｆを有する面の反対側の各面（矢印Ａに対向する側の「×」印が付された面）に、図柄Ａ〜Ｇとは異なる図柄Ｈを表す。そしてブロック１〜４とブロック５〜８の前後の位置をそっくり入れ替えれば、図柄ＡとＦが内部に隠れ、代って図柄Ｇ、Ｈが表面に表れるようになる。この結果、図１、２に示す組立体１０と同じブロックを使いながら、図柄Ｂ、Ｃ、Ｄ、Ｆ、Ｇ、Ｈからなるいずれかの同じ図柄を各６面に有する、図１に示す組立体１０とは異なった組立体を完成させることができる。【００３３】
同様に、図２の手前左側に示す４つのブロック１、４、５、８と、右奥側の４つのブロック２、３、６、７とを利用し、図柄Ｂを有する面の反対側の各面に図柄Ａ〜Ｈとは異なる図柄Ｉを表し、図柄Ｄを有する面の反対側の各面に図柄Ａ〜Ｉとは異なる図柄Ｊを表し、この両者の左右の位置をそっくり入れ替えることによって、図柄Ｂ、Ｄが背後に隠れ、図柄Ｉ、Ｊが表面に現れる。この結果、図柄Ａ、Ｆ、Ｅ、Ｆ、Ｉ、Ｊからなるいずれかの同じ図柄を各６面に有する、図１、２に示す組立体１０とは異なった組立体が完成する。【００３４】
全く同様に、今度は図２の上段にある４つのブロック１、２、５、６と、下段にある４つのブロック３、４、７、８とを利用し、図柄Ｃを有する面の反対側の各面（下向きの面）に図柄Ａ〜Ｊとは異なる図柄Ｋを表し、図柄Ｅを有する面の反対側の各面（上向きの面）に図柄Ａ〜Ｋとは異なる図柄Ｌを表し、この両者の上下の位置をそっくり入れ替えることによって、図柄Ａ、Ｂ、Ｄ、Ｆ、Ｋ、Ｌからなるいずれかの同じ図柄を各６面に有する、図１、２に示す組立体１０とは異なった組立体が完成する。【００３５】
以上では、前後、左右、上下の３つの位置関係を個別に入れ替えることを前提に、図柄２種類（図柄Ｇ、Ｈ、または図柄Ｉ、Ｊ、または図柄Ｋ、Ｌ）を追加して全体で８種類の図柄を利用する８個のブロックにより、２つの異なった組立体を完成するものとしている。さらに、上記３つの位置関係の内の任意の２つを組み合わせれば、例えば前後の位置関係と左右の位置関係の２つを入れ替えるようにすれば、図柄４種類（図柄Ｇ、Ｈ、Ｉ、Ｊ）を追加して全体で１０種類の図柄を利用する同じ８個のブロックにより、３つの異なった完成イメージを有する組立体が得られるものとなる。前後と上下、左右と上下の２つの位置関係を組み合わせて入れ替えるようにしても同様である。【００３６】
さらに、前後、左右、上下の３つの位置関係が入れ替えられるようにすれば、図柄６種類（図柄Ｇ、Ｈ、Ｉ、Ｊ、Ｋ、Ｌ）を追加して全体で１２種類の図柄を利用する８個のブロックにより、４つの異なった完成イメージを有する組立体が得られるものとなる。この場合、前後、左右、上下の３つの位置関係を同時に入れ替えれば、図１に示す組立体１０の表面に現れる図柄Ａ〜Ｆは全て内部に隠れ、新たに図柄Ｇ〜Ｌが表面に現れて全面が図１に示す組立体１０とは全く異なった同一の図柄を６面に有する組立体を完成することができる。例えば、図柄Ａ〜Ｆにプロ野球セントラルリーグの各球団シンボルマークをそれぞれ表し、図柄Ｇ〜Ｌにパシフィックリーグの各球団シンボルマークをそれぞれ表せば、同一の８個のブロックを利用して６面にセントラルリーグ、またはパシフィックリーグ各６球団のシンボルマークのいずれか一を表した２種類の組立体を完成させることができる。あるいは、各面に６色を有する組立体から６種類の絵を外面に有する組立体へと変化させることができる。元の図柄Ａ〜Ｆが全て隠れるよう構成する場合には、ブロックの移動位置には拘束されないものとなるため（例えば、各ブロックを同一位置にてひっくり返してもよい）、どのブロックにどの図柄を表し、組立体のどの位置に配置するかは「完成条件」が満たされている限り全く自由に選択することができるようになる。【００３７】
上述した前後、左右、上下の位置関係を全て入れ替えて元の図柄Ａ〜Ｆが全て隠れる状態になるとは、図２において立体的に対称の位置にあるブロック１と７、ブロック２と８、ブロック３と５、ブロック４と６が入れ替わることを意味する。これによって組立体１０の外面に現れる６面は全て「×」印の面となるため、ここに表す図柄は自由となる。例えばこの６面を利用して先の６種類の図柄Ａ〜Ｆの内の１つのみを入れ替えた図柄Ａ、Ｂ、Ｃ、Ｄ、Ｅ、Ｇによる完成パターンを備えた組立体を作ることができる。この場合、ブロック１〜８は、合計７種類の図柄を使用して２つの完成パターンを得るものとなる。同様にして、図柄の種類は１２種類に至るまで任意の数が選択可能であり、これらを利用して少なくとも２つの完成パターンを得ることができる。【００３８】
以上の内、完成させる難易度の観点からみれば、１２種類の図柄を利用したものが最も難易度が低いもの（完成容易なもの）となる。なぜなら、統一したイメージを構成するブロックの４つの面が一義的に決まってしまうからである。例えば図２において、１つの面に図柄Ａを有するブロックは、ブロック１〜４のみとなり、他に図柄Ａを有するブロックは一切ないものとなる。従って、この形態は小児用又は高齢者用のパズルブロック組立体に使用可能であろう。逆に６種類の図柄のみを利用するものが最も難易度が高く、７〜１１種類の図柄を利用するものの難度がこれらの中間に位置する。【００３９】
さらに、上記の８種類の図柄を使用した例では異なった２つの完成イメージを有する組立体としているが、図柄を８種類使用しながら１つの完成イメージのみの組立体とすることもできる。８種類の各図柄を８個のブロックの内の６個に全体で均等となるようそれぞれ配分すれば、６×８＝４８面に当該各図柄を表すことができる。これは正六面体のブロック８個の合計の面数である６×８に一致する。追加となった２種類の図柄をダミーとしていずれも他のブロックの背後に隠れる位置に配置することにより、パズルをより多彩で面白いものとすることができる。この図柄の種類は８種類とは限定されず、７〜１２種類の間で変化させることができる。より極端には、図２の背後に隠れることとなる「×」印を付した合計２４面を１個１個全部異なった図柄とすれば、表面に現れる６種類の図柄に加えて最大２４種類の図柄まで追加すること（合計３０種類にすること）もできる。【００４０】
本実施の形態にかかる図柄の種類を６種類よりも増加して表した組立体により、パズルの組立てに変化を与えることができ、図柄によってより多くの遊技者の関心を呼ぶことができるようになる。また、難易度に関してより多くの選択肢が得られるものとなる。このようなパズルブロックの幅広い展開は、従来技術による組立体には見られなかったものである。ルービックキューブなどと比較した本発明にかかるその他の特徴は、先の実施の形態で示したものがそのまま適用される。【００４１】
次に、本発明にかかる第３の実施の形態のパズルブロック組立体について、図面を参照して説明する。図４は、本実施の形態にかかる組立体５０を示している。図において、組立体５０は、一面が９個、合計２７個のブロックにより構成されている。立方体となる組立体５０の各６面に、それぞれ同一の図柄Ａ〜Ｆが表されていることは図１に示す組立体１０と同様である。【００４２】
図５は、図４に示す組立体５０から、各角部（頂部）に位置するブロック１〜８を除いた残りのブロック群を示している。除かれたブロック１〜８は、図１に示す組立体１０を構成するブロック１〜８と同一のものと見ることができる。すなわち、図１に示すブロック１〜８に対し、図５に示す合計１９個のブロックが追加されれば組立体５０を構成することができる。これらのブロックの「完成条件」を考慮すれば、まず図５の図柄Ａが付された手前側においては、隣接する２面がそれぞれＡとＢ、ＡとＣ、ＡとＤ（図柄Ｄは図面の背後に隠れている。以下、同。）、ＡとＥ（図柄Ｅは図面の背後に隠れている。以下、同。）の各図柄を有するブロック５１〜５４と、一面に図柄Ａを有するブロック５５があればよい。【００４３】
図６の背後にある面でも同様に、隣接する２面がＦとＢ（図柄Ｆは図面の背後に隠れている。以下、同。）、ＦとＣ、ＦとＤ、ＦとＥの図柄をそれぞれ有するブロック５６〜５９（ブロック５８、５９は図面の背後に隠れている）と、一面に図柄Ｆを有するブロック６０（図面の背後に隠れている）があればよい。この両者の中間に位置する部分においては、隣接する２面がＢとＣ、ＣとＤ、ＤとＥ、ＥとＢをそれぞれ有するブロック６１〜６４（ブロック６３は図面の背後に隠れている）と、各面の中央に位置している、一面に図柄Ｂ、Ｃ、Ｄ、Ｅをそれぞれ有するブロック６５〜６８（ブロック６７、６８は図面の背後に隠れている）と、そして立方体の中心に位置し、全周囲を他のブロックで囲まれるために図柄を問わないブロック６９（図面の背後に隠れている）が揃えばよいことになる。【００４４】
以上の「完成条件」により特定された図柄が配置される面を除き、各ブロックのその他の面（図５の「×」印のある面）には任意の図柄を選択して付けることができる。この図柄の選択により、組立体５０を完成させる難易度を変化させることができるのは、先の実施の形態と同様である。先の実施の形態に比べて８個が２７個になるため、通常では難度が格段に高まるものとなる。しかしながら、上述したその他の面（図５の「×」印のある面）を利用することにより、パズルとして楽しめるレベルの難度を選択することは困難ではない。【００４５】
図４に示す組立体５０は、外観的にはルービックキューブに類似しているが、実際には両者の間には以下の示すような顕著な相違がある。
１．ルービックキューブの移動は、行、列、複数の表面が同時に移動するが、本組立体５０では各ブロックが個別に移動し、同じ位置であっても旋回・回転する。
２．各ブロックが中心で拘束されておらず、分離独立しているため、移動位置に制約がない。
３．本組立体５０では、各ブロックが立方体である。ルービックキューブの各「駒」も一見立方体に見えるが実際はそうではない。８個所の角部（頂部）に位置する駒は隣接する３面が外部に見えるだけで、その他の３面は外表面に出ることはない。各面の辺に当たる部分の中央に位置する４個は２面が外部に見えるのみであり、また各面の中央にある１個に至っては１面のみが外部に現れるだけでその内部形状は窺い知れない（実際に立方体とはなっていない）。【００４６】
以上、本発明に係る各実施の形態について述べてきたが、各実施の形態に示すものに対して様々な展開が考えられる。一例として、各ブロック１〜８、５１〜６９は分離独立したバラバラなものではあるが、積み重ねを容易にするためにブロック相互間に僅かな吸引力を働かせることが可能である。昨今ではＮ、Ｓ極を表面に微細に分布させた球形磁石が知られており、この球形磁石を各ブロックの内部に埋めることで吸引力を付与することができる。球形磁石の代替として、磁性鉄粉などの磁性粒子の塊、あるいは磁性流体を各ブロックの内部に封入して吸引力を得ることもできる。【００４７】
その他、本発明にかかる組立体１０は外観が視覚的に優美であり、そのまま積み上げて置物として活用することもできる。デザインされたガラスなどの容器に詰めることによってそれなりの装飾品となり、容器内にポプリなどを配して室内に飾ることもできる。小型であるため持ち運びにも便利であり、外出先において、あるいは病院などにおける待ち時間を利用して楽しむことができる。また頭を使うパズルであることから、高齢者の老化防止にはうってつけの道具ともなる。このように、本発明にかかるパズルブロックの組立体１０は、老若男女を問わず、広い層に受け入れられる備品となる要素を含んでいる。【００４８】
本発明にかかる組立体を構成する各ブロックは、各種の材料から作ることができる。最も身近な材料としては、積み木と同様に木が挙げられる。入手、加工が容易であり、また遊技中に木特有の感触を手で楽しむこともできる。他の一般的な材料としてはプラスチックが考えられる、さらに特殊な例としては、御影石、大理石などを利用して高級感を持たせることもできる。【００４９】
図６に示す態様では、本願発明に係る各ブロックを紙又は薄いプラスチックなどのシート７０から作る場合の例を示している。各ブロックを展開した各面には、これまで説明した内容に基づく図柄が印刷されている。各展開図を切り取り、のり代を利用して組み立てることにより、これまで述べたものと同様のブロックを紙などから作ることができる。切り取り部分にはミシン目などを入れて切り取り易くすることが望ましい。このシート７０の状態のままで頒布することも可能であり、子供であれば作ることも合わせ楽しむことができる。あるいはこれを組立てた後、中にゴルフボール、お菓子などを入れ、内容物の使用後に残ったブロックで遊べるようにすることもできる。図では８個のブロックの例を示しているが、２７個の場合も同様にすることができる。
【産業上の利用可能性】
【００５０】
本発明に係るパズルブロック組立体は、おもちゃ及びパズルを製造、販売、使用する産業分野において広く利用することができる。
【図面の簡単な説明】
【００５１】
【図１】本発明にかかる実施の形態のパズルブロック組立体の完成状態を示す斜視図である。
【図２】図１に示すパズルブロック組立体の分解した状態を示す斜視図である。
【図３】図１に示すパズルブロック組立体を構成するブロックの展開図である。
【図４】本発明にかかる他の実施の形態のパズルブロック組立体の完成状態を示す斜視図である。
【図５】図４に示すパズルブロック組立体の角部に位置するブロック８個を除いた状態を示す斜視図である。
【図６】本発明にかかるパズルブロック組立体の各ブロックを展開して印刷したシートの平面図である。
【符号の説明】
【００５２】
１〜８．ブロック、  １０、５０．パズルブロック組立体（組立体）、  ５１〜６９．ブロック，  ７０．ブロック組立てシート。
【図１】
2009041250.tif 000003
【図２】
2009041250.tif 000004
【図３】
2009041250.tif 000005
【図４】
2009041250.tif 000006
【図５】
2009041250.tif 000007
【図６】
2009041250.tif 000008
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
相互に分離独立した同一寸法の８個または２７個の立方体ブロックからなるパズルブロック組立体において、各ブロックの６つの面には相互に異なる図柄がそれぞれ表示されており、当該８個または２７個のブロックを積み重ねてより大きな大立方体を形成した際、当該大立方体の外表面となる６つの面上にそれぞれ同一の前記図柄が表れ、かつ１つの面に現れる当該同一の図柄が他の面に現れる同一の図柄とは異なったものとなるよう、前記８個または２７個の個々のブロックの各面に前記図柄が配置され、少なくとも１個のブロックの各面間における図柄の配置パターンが、残りのブロックの各面間における図柄の配置パターンと異なっており、かつ少なくともいずれか２個のブロックの各面間における図柄の配置パターンが同一であることを特徴とするパズルブロック組立体。
【請求項２】
相互に分離独立した同一寸法の８個の立方体ブロックからなり、積み重ねてより大きな大立方体を形成するパズルブロック組立体において、
第１のブロックの相互に隣接する３面の内の１面がＡの図柄を有し、当該Ａの図柄の面を正面に見た状態で残りの２面の内の時計回りの最初の面がＢの図柄を、次の面がＣの図柄をそれぞれ有し、
第２のブロックの相互に隣接する３面の内の１面がＡの図柄を有し、当該Ａの図柄の面を正面に見た状態で残りの２面の内の時計回りの最初の面がＣの図柄を、次の面がＤの図柄をそれぞれ有し、
第３のブロックの相互に隣接する３面の内の１面がＡの図柄を有し、当該Ａの図柄の面を正面に見た状態で残りの２面の内の時計回りの最初の面がＤの図柄を、次の面がＥの図柄をそれぞれ有し、
第４のブロックの相互に隣接する３面の内の１面がＡの図柄を有し、当該Ａの図柄の面を正面に見た状態で残りの２面の内の時計回りの最初の面がＥの図柄を、次の面がＢの図柄をそれぞれ有し、
第５のブロックの相互に隣接する３面の内の１面がＦの図柄を有し、当該Ｆの図柄の面を正面に見た状態で残りの２面の内の反時計回りの最初の面がＢの図柄を、次の面がＣの図柄をそれぞれ有し、
第６のブロックの相互に隣接する３面の内の１面がＦの図柄を有し、当該Ｆの図柄の面を正面に見た状態で残りの２面の内の反時計回りの最初の面がＣの図柄を、次の面がＤの図柄をそれぞれ有し、
第７のブロックの相互に隣接する３面の内の１面がＦの図柄を有し、当該Ｆの図柄の面を正面に見た状態で残りの２面の内の反時計回りの最初の面がＤの図柄を、次の面がＥの図柄をそれぞれ有し、
第８のブロックの相互に隣接する３面の内の１面がＦの図柄を有し、当該Ｆの図柄の面を正面に見た状態で残りの２面の内の反時計回りの最初の面がＥの図柄を、次の面がＢの図柄をそれぞれ有し、
前記第１から第８のブロックの内、少なくとも１個のブロックの各面間における図柄の配置パターンが、残りのブロックの各面間における図柄の配置パターンと異なっており、少なくともいずれか２個のブロックの各面間における図柄の配置パターンが同一であることを特徴とするパズルブロック組立体。
【請求項３】
前記Ａ〜Ｆの図柄が、それぞれ相互に異なる色、文字、絵、模様、図形又はこれらの組み合わせのいずれかであることを特徴とする、請求項２に記載のパズルブロック組立体。
【請求項４】
前記各ブロックが、前記Ａ〜Ｆのいずれかの図柄を有すると特定された３面を除く残りの相互に隣接する３面に、Ａ〜Ｆの図柄の内の前記特定された３面に表された図柄を除く残りの３つの図柄が各個に配置されていることを特徴とする、請求項２に記載のパズルブロック組立体。
【請求項５】
前記各ブロックが、前記Ａ〜Ｆのいずれかの図柄を有すると特定された３面を除く残りの相互に隣接する３面に、Ａ〜Ｆの図柄とは異なる一の図柄が３面ともに表されていること、又はＡ〜Ｆの図柄とは異なる図柄を少なくとも１つ加えた図柄の中から選択された３種類の図柄が各個に配置されていること、あるいは何らの図柄も表されていないことを特徴とする、請求項２に記載のパズルブロック組立体。
【請求項６】
前記第１〜第８のブロックの前記Ａ〜Ｆのいずれかの図柄を有すると特定された３面を除く各８個のブロックの残りの面に対し、
（イ）前記第１、第２、第３、第４のブロックの前記Ａの図柄を有する面の反対側の面にそれぞれＧの図柄が表され、かつ前記第５、第６、第７、第８のブロックの前記Ｆの図柄を有する面の反対側の面にそれぞれＨの図柄が表されていること、
（ロ）前記第１、第４、第５、第８のブロックの前記Ｂの図柄を有する面の反対側の面にそれぞれＩの図柄が表され、かつ前記第２、第３、第６、第７のブロックの前記Ｄの図柄を有する面の反対側の面にそれぞれＪの図柄が表されていること、
（ハ）前記第１、第２、第５、第６のブロックの前記Ｃの図柄を有する面の反対側の面にそれぞれＫの図柄が表され、かつ前記第３、第４、第７、第８のブロックの前記Ｅの図柄を有する面の反対側の面にそれぞれＬの図柄が表されていること、
のいずれか一、またはこれらの任意の組み合わせが選択され、
前記Ａ〜Ｌの図柄が、それぞれ相互に異なる色、文字、絵、模様、図形又はこれらの組み合わせのいずれかであることを特徴とする、請求項２に記載のパズルブロック組立体。
【請求項７】
前記パズルブロック組立体が、前記ブロックと同一寸法の相互に分離独立した第９〜第２７の１９個の立方体ブロックをさらに含み、
第９のブロックの隣接する２面がそれぞれＡ、Ｂの図柄を有し、
第１０のブロックの隣接する２面がそれぞれＡ、Ｃの図柄を有し、
第１１のブロックの隣接する２面がそれぞれＡ、Ｄの図柄を有し、
第１２のブロックの隣接する２面がそれぞれＡ、Ｅの図柄を有し、
第１３のブロックの隣接する２面がそれぞれＦ、Ｂの図柄を有し、
第１４のブロックの隣接する２面がそれぞれＦ、Ｃの図柄を有し、
第１５のブロックの隣接する２面がそれぞれＦ、Ｄの図柄を有し、
第１６のブロックの隣接する２面がそれぞれＦ、Ｅの図柄を有し、
第１７のブロックの隣接する２面がそれぞれＢ、Ｃの図柄を有し、
第１８のブロックの隣接する２面がそれぞれＣ、Ｄの図柄を有し、
第１９のブロックの隣接する２面がそれぞれＤ、Ｅの図柄を有し、
第２０のブロックの隣接する２面がそれぞれＥ、Ｂの図柄を有し、
第２１、２２、２３、２４、２５、２６のブロックの各１面がそれぞれＡ、Ｂ、Ｃ、Ｄ、Ｅ、Ｆの図柄を有し、
第２７のブロックの６面が任意の図柄を有していることを特徴とする、請求項２または請求項３に記載のパズルブロック組立体。
【請求項８】
前記各ブロックが、内部に球形磁石、磁性粒子、磁性流体のいずれかを含んでいることを特徴とする、請求項１から請求項７のいずれか一に記載のパズルブロック組立体。
【請求項９】
立方体を構成する各面に図柄を有するブロックの展開図を複数印刷したシートであって、当該複数の展開図を切り取って組立てることにより、請求項１から請求項８のいずれか一に記載のパズルブロック組立体を完成することができるシート。
【国際調査報告】
2009041250.tif 000009
2009041250.tif 000010
2009041250.tif 000011
2009041250.tif 000012